(57)【要約】【課題】既に取り付けてある係止具やケーブル類を取り外すことなく、ケーブル類の増設や位置調整を可能にする。【解決手段】電柱Ｐに固定される電柱固定部２と、一端側が前記電柱固定部２に固定され、ケーブル類を保持する係止具を固定するための第１の係止具固定部２０を有する第１の筒状部材１０と、前記第１の筒状部材１０の内部に、該第１の筒状部材１０の他端側からスライド可能に収納され、前記係止具を固定するための第２の係止具固定部２５を有する第２の筒状部材１１とを有して構成されるケーブル係止用腕金１であって、前記第２の筒状部材１１には、該第２の筒状部材１１を前記第１の筒状部材１０の内部に収納した時に前記第１の係止具固定部２０と重なる部分にスリット２６が形成されている。【選択図】図１
2009100581.tif 000002
【特許請求の範囲】
【請求項１】
電柱に固定される電柱固定部と、
一端側が前記電柱固定部に固定され、ケーブル類を保持する係止具を固定するための第１の係止具固定部を有する第１の筒状部材と、
前記第１の筒状部材の内部に、該第１の筒状部材の他端側からスライド可能に収納され、前記係止具を固定するための第２の係止具固定部を有する第２の筒状部材と、
を有して構成されるケーブル係止用腕金であって、
前記第２の筒状部材には、該第２の筒状部材を前記第１の筒状部材の内部に収納した時に前記第１の係止具固定部と重なる部分にスリットが形成されていることを特徴とするケーブル係止用腕金。
【請求項２】
前記第１の係止具固定部は、前記筒状部材の長手方向に沿って複数形成された穴からなり、
前記スリットは、前記第２の筒状部材のスライド範囲内において、前記第１の係止具固定部の全て又は一部の穴と重なるように設けられていることを特徴とする請求項１記載のケーブル係止用腕金。
【請求項３】
前記第１の係止具固定部及び前記スリットは、前記第１の筒状部材及び第２の筒状部材の短手方向の一端側に寄った位置に長手方向に沿って形成され、
前記第２の係止具固定部は、前記第２の筒状部材の短手方向の他端側に寄った位置に長手方向に沿って形成されていることを特徴とする請求項２記載のケーブル係止用腕金。
【発明の詳細な説明】
【技術分野】
【０００１】
本発明は、電柱間に架設される電力線、通信線等のケーブルを支持するために電柱に設置されるケーブル係止用腕金に関する。
【背景技術】
【０００２】
従来のケーブル係止用腕金として、異なる径を有する２つの腕金を組み合わせてなり、２つの腕金のうち径の小さい腕金の一部を径の大きい腕金の中空部内に挿入して腕金全体の長さを調節し、２つの腕金の螺子穴を一致させて螺子穴にボルトを螺合させることにより、２つの腕金を所望の長さに固定するものが開示されている（特許文献１参照）。
【０００３】
また、図６において、従来のケーブル係止用腕金１００の例が示されている。このケーブル係止用腕金１００は、電柱Ｐに固定され、メッセンジャーワイヤー１０２を保持するものである。メッセンジャーワイヤー１０２は、電力線、通信線等のメインケーブル１０３を螺旋状ハンガー１０４等によって保持するものである。このケーブル係止用腕金１００は、腕金本体部１０５と電柱固定部１０６とを有して構成される。腕金本体部１０５は、一端を電柱固定部１０６に固定された柱状の部材からなり、電柱Ｐに対して略直角方向に延設され、メッセンジャーワイヤー１０２を保持する係止具１０７が設置される複数の係止具固定部１０８を有している。
【０００４】
前記係止具固定部１０８に固定される係止具１０７としては、様々な形態のものを用いることができるが、例えば図７に示すようなクランプ型係止具１０７がある。このクランプ型係止具１０７は、ロッド部１１０、ナット１１１、当接板１１２、挟持ブロック部１１３を有してなり、ロッド部１１０の上端部にナット１１１及び当接板１１２が螺合可能な螺条が形成されており、その下端がフック部１１５となっている。そして、任意の係止具固定部１０８の孔にロッド部１１０を挿通させ、ナット１１１及び当接板１１２で腕金本体部１０５を挟み込むことによって、該ロッド部１１０を腕金本体部１０５に固定し、フック部１１５と挟持ブロック部１１３との間にメッセンジャーワイヤー１０２を保持させることができるようになされている。また、図８に示すようなストラップ型係止具１２０が用いられることもある。
【特許文献１】実開平５−２５９２７号公報
【発明の開示】
【発明が解決しようとする課題】
【０００５】
上記のようなケーブル係止用腕金に固定されるケーブルは、様々な理由によって増設が必要となる場合がある。このような場合、上記図６（又は図８）に示すような従来構造においては、複数の係止具固定部１０８のうち使われていない箇所に新たな係止具１０７（１２０）及びケーブル類１０２，１０３，１０４を取り付けることとなる。しかしながら、複数の係止具固定部１０８のうち使われていない箇所が、障害物等の設置条件によりいずれも使用できないような場合には、異なる寸法の新たなケーブル係止用腕金と交換する必要があり、既に取り付けられている係止具１０７（１２０）やケーブル類１０２，１０３，１０４を一旦取り外さなければならない等の不具合があった。
【０００６】
また、特許文献１に開示される腕金は、大小異なる径の筒状の腕金が組み合わされて形成され、腕金全体の長さが変更可能となっており、上記従来構造よりもケーブルの増設等への対応がしやすいものである。しかしながら、係止具が大小の径のいずれか又は両方の腕金を上下に貫通するように配されるため、小さな径の腕金が、そのままの状態では自由にスライドできない。そのため、腕金を所望の長さに調節するためには、既に取り付けられている係止具を一旦取り外さなければならないといった不具合があった。
【０００７】
そこで、本発明は、既に取り付けてある係止具やケーブル類を取り外すことなく、ケーブル類の増設や位置調整を可能にするケーブル係止用腕金を提供することを目的とする。
【課題を解決するための手段】
【０００８】
上記課題の解決を図る本発明は、電柱に固定される電柱固定部と、一端側が前記電柱固定部に固定され、ケーブル類を保持する係止具を固定するための第１の係止具固定部を有する第１の筒状部材と、前記第１の筒状部材の内部に、該第１の筒状部材の他端側からスライド可能に収納され、前記係止具を固定するための第２の係止具固定部を有する第２の筒状部材とを有して構成されるケーブル係止用腕金であって、前記第２の筒状部材には、該第２の筒状部材を前記第１の筒状部材の内部に収納した時に前記第１の係止具固定部と重なる部分にスリットが形成されていることを特徴とするものである（請求項１）。
【０００９】
この構成によれば、第１の係止具固定部に係止具を取り付けた時に、第１の筒状部材の内部において、係止具が第２の筒状部材に形成されたスリットに挿通された状態となることにより、係止具を取り付けたまま、第２の筒状部材をスライドさせることが可能となる。これにより、先に取り付けた係止具やケーブル類を取り外すことなく、ケーブル類の増設や位置調整等を行うことができる。
【００１０】
また、上記請求項１記載の構成において、前記第１の係止具固定部は、前記筒状部材の長手方向に沿って複数形成された穴からなり、前記スリットは、前記第２の筒状部材のスライド範囲内において、前記第１の係止具固定部の全て又は一部の穴と重なるように設けられていることが好ましい（請求項２）。
【００１１】
このように、第１の係止具固定部を複数の穴から構成し、これらの穴が、第２の筒状部材のスライド範囲においてスリットと重なるようにすることにより、第１の係止具固定部に係止具を取り付けたまま、第２の筒状部材を自由にスライドさせることができる。
【００１２】
また、上記請求項２記載の構成において、前記第１の係止具固定部及び前記スリットは、前記第１の筒状部材及び第２の筒状部材の短手方向の一端側に寄った位置に長手方向に沿って形成され、前記第２の係止具固定部は、前記第２の筒状部材の短手方向の他端側に寄った位置に長手方向に沿って形成されていることが好ましい（請求項３）。
【００１３】
このように、第１の係止具固定部及びスリットの形成位置と、第２の係止具固定部の形成位置とを、筒状部材の短手方向の両端側にずらすことにより、第１の係止具固定部と第２の係止具固定部とを互いに干渉することなく設けることができる。
【発明の効果】
【００１４】
以上のように、本発明においては、第２の筒状部材の第１の係止具固定部と重なる部分にスリットが形成されていることにより、第１の係止具固定部に係止具が既に取り付けられていても、第２の筒状部材を自由にスライドさせることができる。これにより、先に取り付けた係止具やケーブル類を取り外すことなく、ケーブル類の増設や位置調整等を行うことができる。
【発明を実施するための最良の形態】
【００１５】
以下、添付した図面を参照して本発明の実施例を説明する。図１において、本発明に係るケーブル係止用腕金１の構造及び設置状態が示されており、このケーブル係止用腕金１は、電柱固定部２と腕金本体部３とから構成されている。
【００１６】
電柱固定部２は、電柱Ｐに巻き付けられる革、樹脂等の素材からなるベルト５、ベルト５の両端部を電柱Ｐに接して固定する２つの固定金具６、一端部が固定金具６に固定されると共に他端部が腕金本体部３の第１の筒状部材１０に固定される２枚の固定版７を有して構成される。この電柱固定部２によって、後述する腕金本体部３が電柱Ｐに固定される。
【００１７】
腕金本体部３は、図１及び図２に示すように、第１の筒状部材１０及び第２の筒状部材１１により構成されている。第１の筒状部材１０は、内部が中空部１５となっている直方体の部材であり、第１の係止具固定用穴２０及び筒状部材固定用穴２１が形成されている。第１の係止具固定用穴２０は、図２（ａ）に示すように、第１の筒状部材１０の上面３１及び下面３２の両方に、第１の筒状部材１０の長手方向に沿って等間隔に上下一対として複数設けられている。また、全ての第１の係止具固定用穴２０は、第１の筒状部材１０の一側面３３側に寄った位置に形成されている。これらの第１の係止具固定用穴２０には、例えば図７に示すクランプ型係止具１０７や、図８に示すストラップ型係止具１２０等の係止具が固定可能であり、複数の第１の係止具固定用穴２０のうち任意の上下一対又は二対以上が選択されて使用される。第１の筒状部材固定用穴２１は、図２（ｂ）に示すように、第１の筒状部材１０の他側面３４に２つ設けられており、ボルト２２と螺合可能な螺条が形成されている。
【００１８】
第２の筒状部材１１は、内部が中空部１６となっている直方体の部材であり、第１の筒状部材１０よりも小径に形成されており、第１の筒状部材１０の中空部１５内にスライド可能に収納されている。第２の筒状部材１１には、第２の係止具固定用穴２５、スリット２６、第２の筒状部材固定用穴２７が形成されている。第２の係止具固定用穴２５は、図２（ａ）に示すように、第２の筒状部材１１の上面４１及び下面４２の両方に、第２の筒状部材１１の長手方向に沿って等間隔に上下一対として複数設けられている。また、全ての第２の係止具固定用穴２５は、第２の筒状部材１１の一側面４３側に寄った位置に形成されている。これら第２の係止具固定用穴２５には、例えば図７に示すクランプ型係止具１０７や、図８に示すストラップ型係止具１２０等の係止具が固定可能であり、複数の第２の係止具固定用穴２５のうち任意の上下一対又は二対以上が選択されて使用される。スリット２６は、第２の筒状部材１１の上面４１及び下面４２の両方に、また第２の筒状部材１１の他側面４４に寄った位置に形成されている。また、このスリット２６は、図２（ｂ）に示すように、第２の筒状部材１１を第１の筒状部材１０に収納した時に、全ての第１の係止具固定用穴２０と重なるように設けられている。第２の筒状部材固定用穴２７は、第２の筒状部材１１の一側面４３に複数設けられており、ボルト２２と螺合可能な螺条が形成されている。
【００１９】
図３及び図４において、上記構成のケーブル係止用腕金１の使用例が示されている。図３は、一つのケーブル係止用腕金１に一本のメッセンジャーワイヤー５２を保持させる場合である。尚、このメッセンジャーワイヤー５２には、電力線や通信線等のメインケーブル５３が螺旋状ハンガー５４によって保持されている。この状況においては、第２の筒状部材１１が第１の筒状部材１０内に収納され、選択された上下一対の第１の係止具固定用穴２０に係止具５０が設置されている。この時、係止具５０のロッド部５５は、第２の筒状部材１１のスリット２６を貫通している。
【００２０】
図４に示すのは、図３の状況から、メッセンジャーワイヤー５２等を一本増設する場合である。この場合、第１の筒状部材１０の側面に配されているボルト２２を一旦緩め、第２の筒状部材１１を矢印の方向に所望の長さだけ引き出した後ボルト２２を締め付け、選択された第２の係止具固定用穴２５に新たな係止具５１を設置し、この係止具５１にメッセンジャーワイヤー５２を保持させる。
【００２１】
以上のように、本構成によれば、第１の係止具固定穴２５に設置された係止具５０は、そのロッド部５５が第２の筒状部材１１に形成されたスリット２６に挿通された状態で取り付けられることから、この係止具５０を取り付けたまま、第２の筒状部材１１を自由にスライドさせることができる。これにより、簡単且つ安全な作業によって、メッセンジャーワイヤー５２等の増設や位置調整等を行うことができる。
【００２２】
また、図５において、ケーブル係止用腕金１の耐荷重力を向上させるための補強具６０が示されている。この補強具６０は、ベルト部材６１、棒状部材６２、第１の固定部材６３、第２の固定部材６４を有して構成されている。
【００２３】
ベルト部材６１は、通常、バンド（ステンレス製、鉄製等）からなり、電柱Ｐに巻き付けられて固定される部材である。棒状部材６２は、その一端がボルト等の第１の固定部材６３によってベルト部材６１の一部に固定され、その他端がボルト等の第２の固定部材６４によって第２の筒状部材１１の第２の筒状部材固定用穴２７に固定されている。
【００２４】
上記補強具６０によれば、ケーブル係止用腕金１の第２の筒状部材１１を長く引き伸ばした場合等においても、十分な耐荷重力を得ることができるので、本構成のケーブル係止用腕金１をより安全に使用することができる。
【図面の簡単な説明】
【００２５】
【図１】図１は本発明に係るケーブル係止用腕金の構造を示す図である。
【図２】図２（ａ）は腕金本体部の第２の筒状部材を引き出した状態を示す図であり、図２（ｂ）は腕金本体部の第２の筒状部材を収納した状態を示す図である。
【図３】図３は本発明に係るケーブル係止用腕金の第２の筒状部材を収納した場合の使用状態を示す図である。
【図４】図４は本発明に係るケーブル係止用腕金の第２の筒状部材を引き出した場合の使用状態を示す図である。
【図５】図５は本発明に係る補強具の構造を示す図である。
【図６】図６は従来のケーブル係止用腕金の構造を示す図である。
【図７】図７は従来の係止具の構造を示す図である。
【図８】図８は従来のケーブル係止用腕金及び他の係止具の構造を示す図である。
【符号の説明】
【００２６】
１  ケーブル係止用腕金
２  電柱固定部
３  腕金本体部
１０  第１の筒状部材
１１  第２の筒状部材
２０  第１の係止具固定用穴
２１  第１の筒状部材固定用穴
２２  第２の筒状部材固定用穴
２５  第２の係止具固定用穴
２６  スライド孔
５０，５１  係止具
５２  メッセンジャーワイヤー
５３  メインケーブル
Ｐ  電柱
【図１】
2009100581.tif 000003
【図２】
2009100581.tif 000004
【図３】
2009100581.tif 000005
【図４】
2009100581.tif 000006
【図５】
2009100581.tif 000007
【図６】
2009100581.tif 000008
【図７】
2009100581.tif 000009
【図８】
2009100581.tif 000010